【手続補正書】
【提出日】平成19年3月6日(2007.3.6)
【手続補正１】
【補正対象書類名】特許請求の範囲
【補正対象項目名】全文
【補正方法】変更
【補正の内容】
【特許請求の範囲】
【請求項１】
人間の男性の前立腺の疾病を検査、マッピング、診断、及び、治療するための全体統合超音波システムであって、
超音波経直腸プローブ及び超音波経尿道プローブであって、それぞれがパルスの発振及び受信のために用意され、それぞれが統合患者支援プラットフォームと操作コミュニケーションを取る経直腸プローブ及び超音波経尿道プローブを有し、
前記超音波経直腸プローブは、人間の男性の直腸の液体で満たされた容積内で生成及び作動するよう構成され、前記超音波経尿道プローブは、人間の男性の尿道の液体で満たされた容積内で生成及び操作するよう構成され、
前記超音波経直腸プローブは、人間の男性の直腸に挿入された後、定位置に留まるように構成され、前記超音波経直腸プローブは、前立腺の超音波走査が成立するように、コンピュータ制御されたモータによる運動に適応する超音波センサをその中に有し、
前記超音波経尿道プローブは、人間の男性の尿道に挿入された後、定位置に留まるように構成され、前記超音波経尿道プローブは、前立腺の超音波走査が成立するように、コンピュータ制御されたモータによる運動に適応する超音波センサをその中に有し、
前記超音波経直腸プローブは、統合エキスパートシステムに角度及び関連データを供給する統合位置センサ一式を含んでおり、
前記超音波経直腸プローブ、及び、前記超音波経尿道プローブに於けるセンサによって送信されたデータを収集する統合エキスパートシステムであって、前立腺の疑惑レベルマッピング内に含まれた領域に関する癌の可能性評価を用いて、前記疑惑レベルマッピングを生成するために、分析手法及び統合された結果を利用する統合エキスパートシステムと、を有する、全体統合超音波システム。
【請求項２】
前記超音波経直腸プローブ及び前記超音波経尿道プローブは、人間の男性の直腸、及び、人間の男性の尿道のそれぞれの水溶性液体容積内で生成、及び、作動するよう構成される、請求項１に記載のシステム。
【請求項３】
前記超音波経直腸プローブは、人間の男性の直腸からエア抜きを行うダクトが備えられ、これにより、前記超音波経直腸プローブがその内部で作動するよう構成される人間の男性の直腸の容積を液体で完全に満たすことを可能にする、請求項１に記載のシステム。
【請求項４】
前記統合患者支援プラットフォームは、共同自動スレーブ型生検サブシステムと操作コミュニケーションを取り、前記操作は超音波経直腸プローブ及び統合エキスパートシステムの機能によって提供された位置ターゲットデータによって制御され、また、前記自動スレーブ型生検サブシステムは、過剰な安全性考察の達成はもとより、医師による特定領域の選択に適応する、請求項１に記載のシステム。
【請求項５】
前記統合エキスパートシステムは、前記スレーブ型生検サブシステムの操作、及び、前立腺内の選択された地点への生検針の誘導に対するターゲット座標を得るための超音波データ収集と共に使用される手段に加えて、数学の方程式と共に前記超音波経直腸プローブ内の走査位置に関する所定の距離及び角度データを含むソフトウェアパッケージで構成される、請求項４に記載のシステム。
【請求項６】
前記生検針は、前立腺からの生体組織検査用の細胞組織サンプルを摘出するための手段と一体となっている、請求項５に記載のシステム。
【請求項７】
前記統合患者支援プラットフォームは、超音波走査手続きの為に患者の位置決めを最適化し、患者の最適な位置を記録し、これにより、前記患者用の超音波走査手続きの再現性を可能にする手段を備えた自由度に幅のある位置決め椅子で構成されている、請求項１に記載のシステム。
【請求項８】
前記統合エキスパートシステムは、患者の連続する検査期間中の状態変化を自動的に特定する手段と一体となった、前記患者の各検査に関する完全なデータ収集、マッピング、及び、癌の可能性評価を電子的に保存する手段を有する、請求項１に記載のシステム。
【請求項９】
その効果的な利用を促進するための前記超音波経尿道プローブに動作可能に関連付けられたカテーテル／カテーテルフィーダ、及び、尿道内の前記カテーテルの最適な配置のためのガイドとして機能する共同多関節光ファイバースコープをさらに有する、請求項１に記載のシステム。
【請求項１０】
陰影分析への応用と共に、データ収集及び分析を容易にするための前記超音波経直腸プローブ内に位置するデュアル超音波センサをさらに含み、前記デュアル超音波センサは、従来のトランスデューサ及び位相配列で構成されたグループから選択される、請求項１に記載のシステム。
【請求項１１】
前立腺の細胞組織の誘発された振動を評価するための動的エラストグラフィ手段と協力し、前立腺内の血管環境を撮像し、評価するために、誘発された動的振動及び血流を測定するためのドップラー手段と協力し、前立腺の細胞組織の動的励起を分析するための４Ｄドップラー手段と一体となっている、前立腺の細胞組織を評価するためのパルス／エコー手段をさらに有する、請求項１に記載のシステム。
【請求項１２】
前記超音波経直腸プローブは、さらに、前記超音波経直腸プローブの人間の男性の直腸への機械的に支援された導入だけでなく、手動挿入を容易にするための光学手段で構成されている、請求項１に記載のシステム。
【請求項１３】
前記自動スレーブ型生検サブシステムは、前記生検針の代用となる改良された生検針を有しており、前記改良された生検針は、癌を根絶するために、前立腺の小型の癌の中心に熱エネルギー又は薬物を与えるための手段を有するよう装備されている、請求項５に記載のシステム。
【請求項１４】
前記自動スレーブ型生検サブシステムは、前記生検針と交換可能な改良された生検針を有しており、前記改良された生検針は、差別的なバイオインピーダンス特性を測定し、これにより、前立腺の良性領域と悪性異常領域とを区別するために、前立腺の定められた異常領域の中心に渦電流を導入するための手段を有するように装備されている、請求項５に記載のシステム。
【請求項１５】
前記生検針は、その前面が開口しており、その内面に等角のガイドを有する一体の側板を有する、対称の楔型の先端部を有しており、等角ガイドは、前立腺からその後の抽出のために獲得した生体検査用の細胞組織サンプルを保有するために、デュアル矩形端部切断刃に対して、前記側板の湾曲、及び、前記獲得された生体検査用の細胞組織サンプルの背後に於ける曲線に強制的に沿うようにさせる、請求項６に記載のシステム。
【請求項１６】
前記自動スレーブ型生検サブシステムは、近接照射療法手続きに於いて、前立腺に放射性シードを自動的に注入する手段を含むよう構成されている、請求項５に記載のシステム。
【請求項１７】
前立腺に放射性シードを自動的に注入する前記手段は、放射線堆積パターンに対して集束及び制御を行うための不規則な放射線パターンを有する放射性シードを注入する手段を有しており、これにより、生存細胞組織への不要な損傷を防ぎ、生検針の回転機能を提供する手段と一体となっており、これにより、不規則な放射線パターンを有する放射性シードの方向付けを制御する、請求項１６に記載のシステム。
【請求項１８】
自動スレーブ型生検サブシステムは、内部手術手続きに於いて、前立腺の癌を除去する手段を有する、請求項５に記載のシステム。
【請求項１９】
前立腺内の選択された地点への前記生検針の方向付けに先立ち、ターゲット座標の照合を提供する手段をさらに有する、請求項５に記載のシステム。
【請求項２０】
前記超音波経直腸プローブは、超音波検査用の連続通路を利用可能にするために、前記超音波プローブが挿入されるルーメンに液体を満たすための手段を有する第１統合通路、及び、自身に光ファイバープローブを挿入する手段を有する第２統合通路で構成されたカバーを備えている、請求項１に記載のシステム。
【請求項２１】
高周波数超音波が、人間の男性の前立腺の疾病を検査、マッピング、診断および治療するためのモダリティ（modality）として採用される、請求項１に記載のシステム。
【請求項２２】
前記システムは、人間の男性の前立腺の疾病を検査、マッピング、診断および治療するための超音波以外のモダリティ（modality）を採用する、請求項１に記載のシステム。